(57)【要約】【課題】起動時間を短縮できる車載ナビゲーションシステムの起動制御装置を提供する。【解決手段】車両電源２２に接続された車載ナビゲーションシステム２１の起動を制御する装置であって、車両ドアの解錠を検出するドア解錠検出手段１１と、ドア解錠検出手段によりドアの解錠が検出されたら車載ナビゲーションシステムに起動信号を送出する制御手段１３とを有する。【選択図】  図１
2004219373.tif 000002
【特許請求の範囲】
【請求項１】
車両電源に接続された車載ナビゲーションシステムの起動を制御する装置であって、
車両ドアの解錠状態を検出するドア解錠検出手段と、
前記ドア解錠検出手段によりドアの解錠が検出されたら前記車載ナビゲーションシステムに起動信号を送出する制御手段と、を有する車載ナビゲーションシステムの起動制御装置。
【請求項２】
車両イグニッションキーのアクセサリスイッチのＯＮ／ＯＦＦ状態を検出するアクセサリスイッチ検出手段をさらに有し、
前記制御手段は、前記アクセサリスイッチ検出手段からの検出信号により、前記ドア解錠検出手段によりドアの解錠が検出されてから所定時間経過してもアクセサリスイッチがＯＮ状態にならないときは、前記車載ナビゲーションシステムに送出した起動信号をＯＦＦする請求項１記載の車載ナビゲーションシステムの起動制御装置。
【請求項３】
前記車両ドアはリモートキーにより解錠される請求項１または２記載の車載ナビゲーションシステムの起動制御装置。
【請求項４】
前記車両ドアはＩＤコードを内蔵するＩＣチップの接近を認識して解錠を行うスマートキーにより解錠される請求項１または２記載の車載ナビゲーションシステムの起動制御装置。
【発明の詳細な説明】
【０００１】
【技術分野】
本発明は、車載ナビゲーションシステムの起動制御装置に関し、特にナビゲーションシステムの起動時間を短縮できる起動制御装置に関する。
【０００２】
【背景技術】
車載ナビゲーションシステムはアクセサリの一種であり、イグニッションキーのアクセサリスイッチをＯＮすると自動的に車両電源と接続し、起動を開始する。そして、初期画面を表示するための地図データなどがコンパクトディスクから読み込まれる。
【０００３】
ところが、近年のナビゲーションシステムでは、地図データなどの情報量が増加し、またソフトウェア処理も複雑化していることから、イグニッションキーのアクセサリスイッチを入れてから初期画面の読み込みに数十秒もかかってしまい、ユーザがイライラするといった問題があった。
【０００４】
【発明の開示】
本発明は、起動時間を短縮できる車載ナビゲーションシステムの起動制御装置を提供することを目的とする。
【０００５】
上記目的を達成するために、本発明によれば、車両電源に接続された車載ナビゲーションシステムの起動を制御する装置であって、車両ドアの解錠を検出するドア解錠検出手段と、前記ドア解錠検出手段によりドアの解錠が検出されたら前記車載ナビゲーションシステムに起動信号を送出する制御手段と、を有する車載ナビゲーションシステムの起動制御装置が提供される。
【０００６】
本発明では、イグニッションキーのアクセサリスイッチを入れる前に、すなわちユーザが乗車しようとしてドアを解錠したときにナビゲーションシステムに起動信号を送出するので、従来の起動制御装置に比べて、ドアを解錠してからユーザがイグニッションキーをＯＮするまでの時間をナビゲーションシステムの起動時間に充てることができる。したがって、ユーザがイグニッションキーをＯＮしてエンジンを起動し発車しようとするまでには、ナビゲーションシステムを充分起動させることができ、ユーザのイライラ感を解消することができる。
【０００７】
【発明の実施の形態】
以下、本発明の実施形態を図面に基づいて説明する。
図１は本発明の実施形態に係る車載ナビゲーションシステムの起動制御装置を示すブロック図である。同図に示すように、本実施形態の車載ナビゲーションシステムの起動制御装置は、ドア施解錠アクチュエータ２４の動作に基づいてドアの解錠を検出するドア解錠検出手段１１と、イグニッションキー２３のアクセサリスイッチのＯＮ／ＯＦＦを検出するアクセサリスイッチ検出手段１２と、これらドア解錠検出手段１１及びアクセサリスイッチ検出手段１２からの検出信号に基づいてナビゲーションシステム２１の起動及び停止を制御する制御手段１３とを備える。
【０００８】
ドア解錠検出手段１１は、たとえばオートロック式ドアにあってはドア施解錠アクチュエータ２４の動作位置などを検出し、現在解錠状態か施錠状態かを判断し、この検出信号を制御手段１３に送出する。手動ロック式ドアの場合には施解錠機構を機械的に検出するセンサ等を用いればよい。本発明のドア解錠検出手段１１はオートロック式ドアにも手動ロック式ドアにも適用することができる。また、ドア施解錠アクチュエータ２４の動作位置から解錠状態を検出する以外にも、たとえば車両コントロールユニット（不図示）に施解錠信号が入力されている場合は、その信号を検出することもできる。
【０００９】
本例のドアは、リモートキーやスマートキーを用いて施解錠するドアにも適用することができる。
【００１０】
リモートキーとは、キーをドアのキーシリンダに差し込むことなく、キーから車両側へ微弱電波を送信し、車両側で送信コードを識別することでドアの施解錠を遠隔操作できるキーである。キー側に設けられた送信ボタンを押すことでそのキー固有の識別コードが送信される。
【００１１】
また、スマートキーとは、車両側がキー側に内蔵されたＩＣチップのＩＤコードを自動的に読み出し、車両側に記憶されているＩＤコードと照合すればドアの施解錠を許可するもので、ユーザはキーを携帯しているだけで車両に近づけばドアが自動的に解錠される。
【００１２】
本例のドア解錠検出手段１１はオートロック式ドアの施解錠機構の状態を検出しているが、たとえばスマートキーによるドアを備えた車両では、キーを携帯したユーザが車両から一定距離内に近づいたことをドアの解錠状態として検出することもできる。
【００１３】
アクセサリスイッチ検出手段１２は、イグニッションキー２３のアクセサリスイッチがＯＮしているかどうかを検出する。イグニッションキースイッチは、ＯＦＦ、アクセサリポジション、ＯＮ及びスタートポジションの４つのポジションから構成されているが、本例のアクセサリスイッチ検出手段１２は、イグニッションキー２３がＯＦＦ以外のポジション、すなわちアクセサリポジション、ＯＮまたはスタートポジションの何れかに入っているときに、その旨の検出信号を制御手段１３に送出する。このアクセサリスイッチ検出手段２３は、車両コントロールユニットにイグニッションキー２３の信号が入力されているので、その信号を検出することができる。
【００１４】
制御手段１３には、上述したドア解錠検出手段１１からのドア解錠に関する検出信号と、アクセサリスイッチ検出手段１２からのアクセサリスイッチのＯＮ状態に関する検出信号とが入力される。さらに、車両電源２２とナビゲーションシステムの電源回路とを接続する回路が形成され、電源の供給をＯＮ／ＯＦＦする電源スイッチが設けられている（不図示）。制御手段１３は、以下の手順にしたがって車両電源２２とナビゲーションシステム２１とを電気的に接続し、ナビゲーションシステム２１を起動したり停止したりする。
【００１５】
次に動作フローを説明する。
【００１６】
図２は、本発明の実施形態に係る車載ナビゲーションシステムの起動制御装置の動作フローを示すフローチャートである。
【００１７】
ステップ１０１において、制御手段１３は、ドア解錠検出手段１１からの検出信号を読み込み、ドアが解錠されたかどうかを判断する。このステップ１０１にてドアの解錠が検出されたら、ユーザが乗車しようとしていると判断し、そして制御手段１３は、ステップ１０２においてナビゲーションシステム２１へ機能信号を送出する。具体的には車両電源２２をナビゲーションシステム２１に接続することで起動させる。これにより、ユーザが乗車する前からナビゲーションシステムを立ち上げることができる。
【００１８】
ステップ１０２で起動信号を送出したら、同時にステップ１０３にてタイマーを始動し、所定の時間（たとえば３分）を計測する。ステップ１０４において所定の時間が経過するまでに、ステップ１０５において、制御手段１３は、アクセサリスイッチ検出手段１２からの検出信号に基づいてアクセサリスイッチがＯＮされたかどうかを判断する。ここで、アクセサリスイッチがＯＮされることなく所定時間がタイムアップしたとき（ステップ１０４→ステップ１０５→ステップ１０４）は、ユーザは車両のドアを解錠したものの、すぐに発車する意志はないと判断できるので、車両電源２２の消費を抑制するために、ステップ１０６へ進んでそれまでナビゲーションシステム２１へ送出していた起動信号をＯＦＦする。具体的には車両電源２２とナビゲーションシステム２１との接続を遮断する。
【００１９】
これに対して、所定時間内にアクセサリスイッチがＯＮしたら（ステップ１０４→ステップ１０５）、この処理を終了する。なお、アクセサリスイッチのＯＮにより車両電源２２とナビゲーションシステム２１は電気的に接続されることになる。
【００２０】
以上、本実施形態の車載ナビゲーションシステムの起動制御装置によれば、ユーザが乗車する前からナビゲーションシステムを起動するので、ユーザが発車しようとするまでに充分に起動を終了することができる。また、一度起動したとしても、その後にユーザが発車しなかったりしたときは起動を停止するので、車両電源を無駄に消費したりすることが防止できる。
【００２１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】本発明の実施形態に係る車載ナビゲーションシステムの起動制御装置を示すブロック図である。
【図２】本発明の実施形態に係る車載ナビゲーションシステムの起動制御装置の動作フローを示すフローチャートである。
【符号の説明】
１１…ドア解錠検出手段
１２…アクセサリポジション検出手段
１３…制御手段
２１…ナビゲーションシステム
２２…車両電源
２３…イグニッションキースイッチ
２４…ドア施解錠アクチュエータ
【図１】
2004219373.tif 000003
【図２】
2004219373.tif 000004